(57)【要約】  所望の量の飲料を簡易に注出することのできる飲料の自動販売機を提供することを課題とする。  上記課題を解決するために本発明において、複数種類の飲料の中から購入する飲料を決定するための購入飲料決定部（０１０１）と、決定された飲料を注ぎ出すための容器を載置する容器載置台を有する容器載置部（０１０４）と、飲料の購入量を体積で選択するための購入体積選択ボタン（０１０５）又は／及び飲料の購入量を金額で選択するための購入金額選択ボタン（０１０６）を備えた購入量選択部（０１０２）と、決定された飲料の選択された購入量を容器載置台上の容器に注ぎ出すための注出部（０１０３）と、を有する飲料自動販売機（０１００）を提供する。
2017208358.tif 000002
【特許請求の範囲】
【請求項１】
複数種類の飲料の中から購入する飲料を決定するための購入飲料決定部
決定された飲料を注ぎ出すための容器を載置する容器載置台を有する容器載置部と、
飲料の購入量を体積で選択するための購入体積選択ボタン又は／及び飲料の購入量を金額で選択するための購入金額選択ボタンを備えた購入量選択部と、
決定された飲料の選択された購入量を容器載置台上の容器に注ぎ出すための注出部と、
を有する飲料自動販売機。
【請求項２】
容器載置部は、購入者が持参した容器を飲料を注ぎ出すための容器として利用可能に構成されている請求項１に記載の飲料自動販売機。
【請求項３】
容器載置部に載置可能な容器を販売するための容器販売部をさらに有する請求項１又は２に記載の飲料自動販売機。
【請求項４】
購入体積選択ボタンで選択された購入体積分の飲料の価格を表示する価格表示部をさらに有する請求項１から３のいずれか一に記載の飲料自動販売機。
【請求項５】
購入金額選択ボタンで選択された購入金額積分の飲料の体積を表示する体積表示部をさらに有する請求項１から４のいずれか一に記載の飲料自動販売機。
【発明の詳細な説明】
【技術分野】
【０００１】
本発明は、飲料の自動販売機であって、購入者が選択した所定量の飲料を、購入者が持参する容器に提供可能な自動販売機の技術に関する。
【背景技術】
【０００２】
従来の飲料の自動販売機は所定容量の缶、ＰＥＴボトル、瓶などの容器に予め封入された飲料や、自動販売機内に保持されている紙コップに注ぎ入れた飲料を提供するものである。【０００３】
このような従来の自動販売機は、一部の容器についてはリサイクルされるもののそのほとんどは廃棄され、近年の省資源、省エネルギーの要請と合致していない。また、消費者も自らが省資源や省エネルギーに沿った行為を望むことから、従来型の自動販売機での飲料購入を控え、例えば、自ら抽出したお茶やコーヒーなどを水筒に入れ携帯して飲む態様が増えている。【０００４】
また、従来の飲料の自動販売機は、消費者の多様なニーズに応えられないという問題もある。例えば、ＰＥＴボトル入りの飲料の多くは５００ｍｌ入りである。これは子供などが一度に飲みきれる量ではなく、また、子供に与えるには、摂取する糖分の多さなどで親は与えることを控える。【０００５】
このような従来の飲料自動販売機の解決するための技術として、例えば、特許文献１に開示されている飲料の自動販売機がある。この自動販売機は、購入者が投入した金額に応じた任意の量の飲料を、購入客が持参したカップに注出するものである。
【先行技術文献】
【特許文献】
【０００６】
【特許文献１】特開平６−３２５２５９号公報
【発明の概要】
【発明が解決しようとする課題】
【０００７】
特許文献１の技術は、投入金額相当の最大注出量をすべて注ぎ出しきるまでの間、繰り返し注出ボタンを押して飲料の注出を可能とするものである。これによれば、購入者は一定の範囲内で任意の購入量を自ら選択することが可能である。しかしながら、透明なカップならまだしも不透明なボトル型容器などに注出する場合に、ボタンを押す時間により所望の量を注出することは至難の業である。また、注出した量が投入金額相当量に達しない場合には、未達量に対応する金額を釣銭として払い出すものであり、煩わしいばかりでなく所望する量の飲料を購入したいという購入者の本質的なニーズに応えることができないものである。【０００８】
そこで、本発明では所望の量の飲料を簡易に注出することのできる飲料の自動販売機を提供することを課題とする。
【課題を解決するための手段】
【０００９】
上記課題を解決するために本発明において、以下の飲料自動販売機などを提供する。すなわち、第一の発明として、複数種類の飲料の中から購入する飲料を決定するための購入飲料決定部と、決定された飲料を注ぎ出すための容器を載置する容器載置台を有する容器載置部と、飲料の購入量を体積で選択するための購入体積選択ボタン又は／及び飲料の購入量を金額で選択するための購入金額選択ボタンを備えた購入量選択部と、決定された飲料の選択された購入量を容器載置台上の容器に注ぎ出すための注出部と、を有する飲料自動販売機を提供する。【００１０】
また、前記特徴に加えて、容器載置部は、購入者が持参した容器を飲料を注ぎ出すための容器として利用可能に構成されている飲料自動販売機を提供する。【００１１】
また、前記特徴に加えて、容器載置部に載置可能な容器を販売するための容器販売部をさらに有する飲料自動販売機を提供する。【００１２】
また、前記特徴に加えて、購入体積選択ボタンで選択された購入体積分の飲料の価格を表示する価格表示部をさらに有する飲料自動販売機を提供する。【００１３】
また、前記特徴に加えて、購入金額選択ボタンで選択された購入金額積分の飲料の体積を表示する体積表示部をさらに有する飲料自動販売機を提供する。
【発明の効果】
【００１４】
以上のような構成をとる本発明によって、本発明では、所望の量の飲料を簡易に注出することのできる飲料の自動販売機を提供することができる。
【図面の簡単な説明】
【００１５】
【図１】実施形態１の飲料自動販売機における機能ブロックの一例を示す図
【図２】購入しようとする飲料とその量を選択させるための入力受付けの態様の一例を示す概念図
【図３】価格表示部と体積表示部とを有する飲料自動販売機の一例を示す概念図
【図４】増減ボタンを備える購入量選択部の一例を示す概念図
【図５】購入飲料決定部の機能と購入量選択部の機能の双方を果たし得る購入体積選択ボタン、購入金額選択ボタンを備える場合の一例を示す概念図
【図６】一の容器に複数の飲料を注出する自動販売機における購入量選択部の具体例の一つを示す概念図
【図７】実施形態１の飲料自動販売機の一例を示す概念図
【図８】実施形態１の飲料自動販売機のハードウェア構成の一例を示す概念図
【図９】実施形態２の飲料自動販売機における機能ブロックの一例を示す図
【図１０】実施形態２の飲料自動販売機の一例を示す概念図
【図１１】実施形態２の飲料自動販売機の他の例を示す概念図
【発明を実施するための形態】
【００１６】
以下に、図を用いて本発明の実施の形態を説明する。なお、本発明はこれら実施の形態に何ら限定されるものではなく、その要旨を逸脱しない範囲において、種々なる態様で実施しうる。
【００１７】
なお、実施形態１は、主に請求項１、２、４、５について説明する。また、実施形態２は、主に請求項３について説明する。
＜実施形態１＞
＜概要＞
【００１８】
本実施形態の飲料自動販売機は、飲料の購入量を選択するためボタンを備えることで、購入者は簡易に所望の量の飲料を、持参した容器などに注出することができる。
＜構成＞
【００１９】
図１は、本実施形態の飲料自動販売機における機能ブロックの一例を示す図である。なお、以下に記載する本装置やシステムの機能ブロックは、ハードウェア及びソフトウェアの組み合わせとして実現され得る。具体的には、マイコンなどの計算機を利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、表示装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本システムの機能ブロックは専用ハードウェアによって実現されてもよい。
【００２０】
また、本明細書に記載の各実施形態は装置として実現できるのみでなく、方法としても実現可能である。また、このような装置の一部をソフトウェアとして構成することができる。さらに、そのようなソフトウェアをコンピュータに実行させるために用いるソフトウェア製品、及び同製品を固定した記録媒体も、当然に本明細書に記載の各実施例の技術的な範囲に含まれる（本明細書の全体を通じて同様である）。
【００２１】
そして、図１に示すように、本実施形態の「飲料自動販売機」（０１００）は、「購入飲料決定部」（０１０１）と、「購入量選択部」（０１０２）と、「注出部」（０１０３）と、「容器載置部」（０１０４）と、からなる。また、購入量選択部は、「購入体積選択ボタン」（０１０５）と、「購入金額選択ボタン」（０１０６）と、を有する。
【００２２】
図２は、本実施形態の飲料自動販売機の一部であって、購入者に対して購入しようとする飲料とその量を選択させるための入力受付けの態様の一例を示す概念図である。本図を用いて、購入飲料決定部と購入量選択部の説明を行う。
【００２３】
まず、「購入飲料決定部」（０１０１）は、複数種類の飲料の中から購入する飲料を決定するための機能を有する。図２においては、複数種類の飲料として「BLUE MOUNTAIN coffee」「MORNING coffee」「MORNING ICE TEA」が示されている。そして、それぞれの飲料が示されている付近に「決定」ボタンが備わっており、購入者が押すことで飲料が決定される。なお、「ボタン」は、機械的な押しボタンであってもいいし、タッチセンサを用いたボタンなどであってもよい。また、タッチパネルに飲料を示す表示や後述の体積選択ボタンや購入金額選択ボタンなどとともに決定ボタンを表示してもよい。
【００２４】
「購入量選択部」（０１０２）と、飲料の購入量を体積で選択するための購入体積選択ボタン又は／及び飲料の購入量を金額で選択するための購入金額選択ボタンを備える。図２は、購入体積選択ボタンと購入金額選択ボタンの双方を備えた購入量選択部の例を示している。この図において、購入体積選択ボタンは、各飲料の決定ボタンの下に、「１００ｍｌ」、「１５０ｍｌ」、「２００ｍｌ」の各ボタンとして示されている。また、購入金額選択ボタンは、各飲料決定ボタンの下に、「１００円」、「１５０円」、「２００円」の各ボタンとして示されている。なお、購入量選択部は、購入体積選択ボタンと購入金額選択ボタンのいずれか一方を備えるものであってもよい。
【００２５】
また、購入体積ボタンや購入金額ボタンは、一回の購入につき複数回押すことができるようにしてもよい。例えば、１５０円の購入金額ボタンを２回押すことで３００円分の飲料を購入したり、１５０ｍｌと２００ｍｌの購入体積ボタンを１回ずつ押すことで３５０ｍｌの飲料を購入するといった具合である。なお、購入体積金額ボタンと購入金額ボタンとをそれぞれ押すことで購入量を選択できるようにしてもよい。
【００２６】
また、本実施形態の飲料自動販売機は、購入体積選択ボタンで選択された購入体積分の飲料の価格を表示する価格表示部や、購入金額選択ボタンで選択された購入金額積分の飲料の体積を表示する体積表示部を、さらに有するものであってもよい。
【００２７】
図３は、価格表示部と体積表示部とを有する飲料自動販売機の一例を示す概念図である。図示するように、飲料を決定するためのボタンは、それぞれの飲料毎に備わる。そして、「量で選ぶ」場合と「金額で選ぶ」場合のための入力受け付けが設けられている。量での選択と金額での選択は、すべての飲料に対応しており、決定された飲料の購入量の入力を受付ける。
【００２８】
「量で選ぶ」場合の入力受付は、購入体積選択ボタンが、１００ｍｌから３００ｍｌまで５０ｍｌ単位で備わり、それらの右側に価格表示部として、７セグメントＬＥＤにより３桁の数字により金額（円）が表示されるように構成されている。例えば、「BLUE MOUNTAIN coffee」を決定し、２００ｍｌの購入体積選択ボタンを押すと、価格表示部には「２００」の数字が表示される。なお、購入者が自ら選択した購入体積が分かるよう当該選択ボタンを他の選択ボタンと識別可能に発光等させたり、体積表示部が選択した購入体積を表示するように構成してもよい。
【００２９】
「金額で選ぶ」場合の入力受付は、購入金額選択ボタンが、１００円から３００円まで５０円単位で備わり、それらの右側に体積表示部として、７セグメントＬＥＤにより３桁の数字により体積（ｍｌ）が表示されるように構成されている。例えば、「MORNING coffee」を決定し、１５０円の購入金額選択ボタンを押すと、体積表示部には「１００」の数字が表示される。なお、購入者が自ら選択した購入金額が分かるよう当該選択ボタンを他の選択ボタンと識別可能に発光等させたり、価格表示部が選択した購入金額を表示するように構成してもよい。
【００３０】
また、価格表示部や体積表示部を備える場合において、購入量選択部は購入体積選択ボタン又は／及び購入金額選択ボタンに代えて決定した飲料を容器載置部に載置された容器に注出するための注出ボタンを備え、注出ボタンが押されている間飲料を注出するように構成するとともに、注出量に応じた飲料の体積又は／及び飲料の金額を体積表示部又は／及び価格表示部に表示するように構成してもよい。係る場合、購入者は注出ボタンを押す時間を調製することで所望の体積や金額に相当する量の飲料を体積表示部や価格表示部の表示を見ながら購入することができる。
【００３１】
また、購入体積選択ボタンや購入金額選択ボタンにより選択された購入量をさらに増減するための増減ボタンを備えるよう構成してもよい。図４は、上述の増減ボタンを備える購入量選択部の一例を示す概念図である。
【００３２】
図示するように、購入飲料決定部にて決定された「BLUE MOUNTAIN coffee」が現在選択中の購入飲料として表示されている。そして、購入体積選択ボタンと隣接して「＋」ボタンと「−」ボタンからなる増減ボタンが備わっている。また、体積表示部は、購入体積選択ボタンにより選択された体積が表示されるように構成されている。例えば、購入者が飲料１８０ｍｌの購入を望む場合には、まず２００ｍｌの購入体積選択ボタンを押す。このとき体積表示部は「２００ｍｌ」を表示する。続いて「−」ボタンを押すと、押した回数又は押した時間に応じて体積表示部に表示されている体積が漸次減っていく。この表示を見ながら、購入者は表示が「１８０ｍｌ」を示すまで「−」ボタンを押す。また、このとき価格表示部は１８０ｍｌの購入体積分の価格を表示する。そして、図示する決定ボタンを押すことで１８０ｍｌの飲料が注出される。購入金額選択ボタンとともに用いる増減ボタンについても同様である。このように構成することで、購入者は任意の体積または金額で購入量を選択することができる。
【００３３】
図５は、購入飲料決定部の機能と購入量選択部の機能の双方を果たし得る購入体積選択ボタン、購入金額選択ボタンを備える場合の一例を示す概念図である。
【００３４】
図示するように、購入する飲料を決定するための決定ボタンは、いずれの飲料についても備わらない。この場合においては、飲料毎に備わる購入体積選択ボタンまたは購入金額選択ボタンのいずれかを押すことで、その飲料が購入対象として決定されるとともに、購入体積又は購入金額が選択される。
【００３５】
また、購入飲料決定部は、購入する飲料として複数の飲料を購入者が決定し、それらを一の容器に注出することができるように構成してもよい。複数の飲料をそれぞれの購入量とともに選択可能にすることで、購入者は様々な組み合わせの飲料を楽しむことができる。例えば、「BLUE MOUNTAIN coffee」と「MORNING coffee」とを組み合わせて自分好みの配合で楽しむことができる。
【００３６】
図６は、一の容器に複数の飲料を注出する自動販売機における購入量選択部の具体例の一つを示す概念図である。図示するように、向かって右側には、購入する飲料の組み合わせが「注出カップル」として表示され、「MORNING coffee」「BLUE MOUNTAIN coffee」、及び「HOKKAIDO MILK」が示されている。既に注出が済んでいる「MORNING coffee」には「済」が示され、注出中である「BLUE MOUNTAIN coffee」には「注出中」、未だ注出されていない「HOKKAIDO MILK」には「未」が示されている。併せて、それぞれの飲料についての購入量（本図では購入体積）が示されている。
【００３７】
図示するように、購入体積選択ボタン、購入金額選択ボタン、価格表示部及び体積表示部が備わり、任意の方法で各飲料の購入量を適宜選択することができ、「決定」のボタンにより、選択された各飲料の注出が行われる。そして、「BLUE MOUNTAIN coffee」のイメージが「現在選択中」と示されるように、現在の動作状況が表示される。
【００３８】
図７は、本実施形態の飲料自動販売機の一例を示す概念図である。図示するように、飲料はジュースなどと緑茶、紅茶、コーヒーなどが購入できるようになっており、それぞれの飲料について、購入体積選択ボタンと購入金額選択ボタンが備わり、「注出部」（０７０１）と「容器載置部」（０７０２）が示されている。
【００３９】
「容器載置部」（０７０１）は、決定された飲料を注ぎ出すための「容器」（０７０２）を載置する「容器載置台」（０７０３）を有する。図示するように、容器載置部は、飲料自動販売機の筐体の外郭に設けられる開口から、その筐体の内側に設けられるスペースに容器載置台が配置されるように構成されている。衛生管理の観点からこのように構成することが好ましく。上述した開口を開閉可能とするための扉を設けることがより好ましい。
【００４０】
容器載置部は、購入者が持参した容器（水筒やカップ、ボトルなど）を、飲料を注ぎ出すための容器として利用可能に構成されている。例えば、そのような容器を載置するのに好適な位置を、購入者が分かるような表示を施すことが好ましい。また、容器が載置されたか否か、さらには載置された位置が適切か否かを判別するための検出手段を設けることが好ましい。容器の載置が不適切な場合に、そのことを購入者に表示や音声などで告知する手段を備えてもよい。
【００４１】
また、載置された容器に飲料を注出する前に容器の洗浄や殺菌を行うための手段を備えていてもよい。例えば、洗浄をするためのシャワー手段と乾燥手段を備えていてもよい。また、殺菌をするために紫外線を照射する手段やオゾンを噴霧する手段を備えていてもよい。
【００４２】
「注出部」（０７０４）は、決定された飲料の選択された購入量を容器載置台上の容器に注ぎ出す機能を有する。注ぎ出すための具体的手段は、本機能を果たし得る限り特段限定されることはない。また、既知の飲料の自動販売機のように、上述した扉が閉められた状態での注ぎ出すようにしたり、「注出中」などの文字を表示するとともに注ぎ出すように構成してもよい。
【００４３】
また、注出部は、飲料の注出だけでなく氷を容器に入れるように構成してもよい。また、氷を入れるか否かを購入者が選択し得るように構成してもよい。また、ミルクやクリームなどを追加して容器に注ぎ出せるように構成してもよい。これらについても既知の飲料の自動販売機に採用されている手段を用いて実現することができる。
＜ハードウェア構成＞
【００４４】
図８は、上記機能的な各構成要件をハードウェアとして実現した際の、感性データベースシステムにおける構成の一例を表す概略図である。この図を利用してそれぞれのハードウェア構成の働きについて説明する。
【００４５】
図示するように、飲料自動販売機は、各種演算処理を実行するための「ＣＰＵ」（０８０１）と、各種演算処理を行なうプログラムをＣＰＵに実行させるために読み出すとともにそのプログラムのワーク領域を提供する「主メモリ」（０８０２）と、「不揮発性メモリ」（０８０３）と、「インターフェース」（０８０４）を備えている。また、インターフェースには、「購入飲料決定ボタン」（０８０５）、「購入体積選択ボタン」（０８０６）、「購入金額選択ボタン」（０８０７）、「表示手段」（０８０８）などが備わる。また、図示しないが、一般的な飲料の自動販売機と同様に各種飲料を蓄積し、購入された飲料を適宜注出するための注出手段が備わる。
【００４６】
不揮発性メモリには、購入飲料決定ボタンにより決定される飲料を、購入体積選択ボタン又は購入金額選択ボタンにより選択された購入量注出させるための注出制御プログラムが蓄積されている。そして、購入量決定ボタンの押下又はタッチや、購入体積選択ボタン又は購入金額選択ボタンの押下又はタッチなどをトリガとして、蓄積されている注出制御プログラムは主メモリ上に展開され、注出手段が選択された飲料を選択された購入量にて注出するよう制御する。
【００４７】
また、不揮発性メモリには、購入体積選択ボタンで選択された購入体積分の飲料の価格を表示する価格表示プログラムや購入金額選択ボタンで選択された購入金額積分の飲料の体積を表示する体積表示プログラムを蓄積していてもよい。この場合において、購入体積選択ボタンで購入体積が選択されることをトリガとして価格表示プログラムは主メモリ上に展開され、選択された購入体積分の飲料の価格が表示手段に表示される。また、購入金額選択ボタンで購入金額が選択されることをトリガとして体積表示プログラムは主メモリ上に展開され、選択された購入金額分の飲料の体積が表示手段に表示される。
＜効果＞
【００４８】
本実施形態によれば、所望の量の飲料を簡易に注出することのできる飲料自動販売機を提供することができる。
＜実施形態２＞
＜概要＞
【００４９】
本実施形態の飲料自動販売機は、実施形態１を基本とし、容器の販売を可能にすることで、容器を持参しない者でも飲料の購入が可能となるようするものである。
＜構成＞
【００５０】
図９は、本実施形態の飲料自動販売機における機能ブロックの一例を示す図である。図示するように、本実施形態の「飲料自動販売機」（０９００）は、「購入飲料決定部」（０９０１）と、「購入量選択部」（０９０２）と、「注出部」（０９０３）と、「容器載置部」（０９０４）と、からなる。また、購入量選択部は、「購入体積選択ボタン」（０９０５）と、「購入金額選択ボタン」（０９０６）と、「容器販売部」（０９０７）を有する。容器販売部の他の構成については、実施形態１における同名の構成と同様であるので、重ねての説明を省略する。
【００５１】
「容器販売部」（０９０７）は、容器載置部に載置可能な容器を販売する機能を果たす。容器の具体的態様を特段限定するものではないが、保温性に優れる構造や材料を採用することが好ましい。また、持ちやすい形状とすることも好ましい。また、再利用可能であることが好ましい。
【００５２】
図１０は、本実施形態の飲料自動販売機の一例を示す概念図である。図示するように、容量の異なる複数の容器を販売することができ、購入者は所望の容量を選択するために複数備わる「容量選択ボタン」（１００１）のいずれかを選択することで容器を購入することができる。
【００５３】
購入した容器は、「容器取出口」（１００２）から取り出すことができる。容器取出口には、図示するように開閉自在の扉を設けることが衛生上好ましい。
【００５４】
購入した容器が「容器載置台」（１００３）に自動で載置されるよう構成してもよい。飲料の購入と容器の購入とを併せて行うための選択ボタンなどを備えることで、購入した容器に購入した飲料が注出される。
【００５５】
また、容器販売部は、購入量決定部、購入量選択部、注出部及び容器載置部が備わる筐体とは別の筐体に備わるようにしてもよい。図１１は、容器販売部を別の筐体に有する場合の飲料自動販売機の一例を示す概念図である。図示するように、飲料を販売するための筐体（１１０１）と容器を販売するための筐体（１１０２）とが併設されている。
＜効果＞
【００５６】
本実施形態により、容器を持参しない購入者への容器の販売を行うことのできる飲料自動販売を提供することができる。
【符号の説明】
【００５７】
０１００  飲料自動販売機
０１０１  購入飲料決定部
０１０２  購入量選択部
０１０３  注出部
０１０４  容器載置部
０１０５  購入体積選択ボタン
０１０６  購入金額選択ボタン
【図１】
2017208358.tif 000003
【図２】
2017208358.tif 000004
【図３】
2017208358.tif 000005
【図４】
2017208358.tif 000006
【図５】
2017208358.tif 000007
【図６】
2017208358.tif 000008
【図７】
2017208358.tif 000009
【図８】
2017208358.tif 000010
【図９】
2017208358.tif 000011
【図１０】
2017208358.tif 000012
【図１１】
2017208358.tif 000013
【国際調査報告】
2017208358.tif 000014
2017208358.tif 000015
2017208358.tif 000016
2017208358.tif 000017